(57)【要約】【課題】タッチ式入力装置において、操作性を向上させることができる。【解決手段】選択されるアイコン５０ａ〜５０ｏのＸ方向の長さＢ１，Ｂ２に応じて、タッチパッドへのなぞり操作量に対する操作座標Ｐ１の移動量が設定される。例えば、Ｘ方向に大きいアイコン５０ａ〜５０ｅからＸ方向に小さいアイコン５０ｆ〜５０ｏが選択された場合には、Ｘ方向へのなぞり操作量に対する操作座標Ｐ１のＸ方向の移動量が小さく設定される。これにより、ユーザの意図に反して操作座標Ｐ１がそのアイコンを通過することが抑制される。【選択図】図３
2014071464.tif 000002
【特許請求の範囲】
【請求項１】
複数のアイコンを表示するディスプレイと、
操作面に対するユーザのなぞり操作を検出する検出手段と、
前記検出手段の検出結果に基づき前記ディスプレイ上のＸＹ座標に位置する操作座標を移動させ、その操作座標が位置するアイコンを選択した状態とする制御手段と、を備えたタッチ式入力装置において、
前記制御手段は、選択される前記アイコンのＸ方向又はＹ方向の長さに応じて、前記操作面へのＸ方向又はＹ方向のなぞり操作量に対する前記操作座標のＸ方向又はＹ方向の移動量を設定する
タッチ式入力装置。
【請求項２】
請求項１に記載のタッチ式入力装置において、
前記制御手段は、Ｘ方向又はＹ方向における前記アイコンの長さに関わらず、Ｘ方向又はＹ方向の一定のなぞり操作量にて選択されるアイコンを切り替え可能に、Ｘ方向又はＹ方向のなぞり操作量に対する前記操作座標のＸ方向又はＹ方向の移動量を設定する
タッチ式入力装置。
【発明の詳細な説明】
【技術分野】
【０００１】
この発明は、タッチ式入力装置に関する。
【背景技術】
【０００２】
従来、タッチパッドをタッチ操作（なぞり操作）することで、ディスプレイに表示されるアイコンの選択操作を行うタッチ式入力装置が知られている（例えば、特許文献１参照）。
【０００３】
具体的には、図７に示すように、ディスプレイ１００には複数のアイコン１０１ａ〜１０１ｏが表示されている。本例では、アイコンの種類として、Ｘ方向に大きい長方形のアイコン１０１ａ〜１０１ｅと、それらアイコンよりＸ方向に小さい正方形のアイコン１０１ｆ〜１０１ｏとがある。タッチパッドへのなぞり操作に対応して、×印で示す操作座標１０５がディスプレイ１００上のＸＹ座標系を移動する。この操作座標１０５が位置するアイコン１０１ａ〜１０１ｏは選択された状態となる。
【先行技術文献】
【特許文献】
【０００４】
【特許文献１】特開２０１０−９３２１号公報
【発明の概要】
【発明が解決しようとする課題】
【０００５】
上記タッチ式入力装置においては、アイコン１０１ａ〜１０１ｏの大きさが異なるため、所定のアイコンが選択された状態から、そのアイコンが隣接するアイコンを選択した状態に切り替えるまでに必要となるなぞり操作量が異なる。例えば、選択アイコンをアイコン１０１ｃからアイコン１０１ｈに切り替える際に必要となるなぞり操作量Ｌ１は、アイコン１０１ｈからアイコン１０１ｍに切り替える際に必要となるなぞり操作量Ｌ２より多くなる。
【０００６】
ここで、操作座標１０５がアイコン１０１ｃに位置している場合、そのアイコン１０１ｃはＸ方向に大きいため、ユーザは他のアイコン１０１ｈを選択するために高速でなぞり操作を行うと考えられる。よって、操作座標１０５の移動速度は速くなる。このため、なぞり操作軌跡Ｌ３に示すように、目標となるアイコン１０１ｈを通り過ぎて、意図しないアイコン１０１ｍが選択されるおそれがある。
【０００７】
このように、異なる面積のアイコンが混在する場合にあっては、アイコン選択に要するなぞり操作量のばらつきが大きく、適切にアイコンを選択できないことが懸念される。
この発明は、こうした実情に鑑みてなされたものであり、その目的は、操作性を向上させたタッチ式入力装置を提供することにある。
【課題を解決するための手段】
【０００８】
以下、上記目的を達成するための手段及びその作用効果について説明する。
請求項１に記載の発明は、複数のアイコンを表示するディスプレイと、操作面に対するユーザのなぞり操作を検出する検出手段と、前記検出手段の検出結果に基づき前記ディスプレイ上のＸＹ座標に位置する操作座標を移動させ、その操作座標が位置するアイコンを選択した状態とする制御手段と、を備えたタッチ式入力装置において、前記制御手段は、選択される前記アイコンのＸ方向又はＹ方向の長さに応じて、前記操作面へのＸ方向又はＹ方向のなぞり操作量に対する前記操作座標のＸ方向又はＹ方向の移動量を設定することをその要旨としている。
【０００９】
同構成によれば、選択されるアイコンの長さに応じて、操作面へのなぞり操作量に対する操作座標の移動量が設定される。例えば、Ｘ方向の長さが短いアイコンが選択された場合には、Ｘ方向へのなぞり操作量に対する操作座標のＸ方向の移動量が小さく設定される。これにより、ユーザの意図に反して操作座標がそのアイコンを通過することが抑制される。従って、タッチ式入力装置の操作性を向上させることができる。
【００１０】
請求項２に記載の発明は、請求項１に記載のタッチ式入力装置において、前記制御手段は、Ｘ方向又はＹ方向における前記アイコンの長さに関わらず、Ｘ方向又はＹ方向の一定のなぞり操作量にて選択されるアイコンを切り替え可能に、Ｘ方向又はＹ方向のなぞり操作量に対する前記操作座標のＸ方向又はＹ方向の移動量を設定することをその要旨としている。
【００１１】
同構成によれば、アイコンの長さに関わらず、一定のなぞり操作量にて選択アイコンを切り替えることができる。よって、よりタッチ式入力装置の操作性を向上させることができる。
【発明の効果】
【００１２】
本発明によれば、タッチ式入力装置において、操作性を向上させることができる。
【図面の簡単な説明】
【００１３】
【図１】本発明の一実施形態における車両に搭載されるタッチパッド及びディスプレイを示す斜視図。
【図２】本発明の一実施形態におけるタッチ式入力装置の構成を示すブロック図。
【図３】本発明の一実施形態におけるディスプレイ画面を示した正面図。
【図４】本発明の一実施形態におけるアイコンの拡大図。
【図５】本発明の一実施形態における制御装置による処理手順を示すフローチャート。
【図６】他の実施形態におけるディスプレイ画面を示した正面図。
【図７】背景技術におけるディスプレイ画面を示した正面図。
【発明を実施するための形態】
【００１４】
以下、本発明のタッチ式入力装置を車両に搭載した一実施形態を図１〜図５に従って説明する。
図１に示すように、ダッシュボード１の中央部（センタークラスタ）にはディスプレイ５が嵌め込まれている。センターコンソール２には、シフトレバー３が設けられ、その手前側にタッチパッド１３がその表面（操作面）を露出させる態様で設けられている。
【００１５】
ユーザは、タッチパッド１３のタッチ操作（なぞり操作）を通じて、ディスプレイ５に表示されたアイコンの選択及び決定を行うことでカーナビゲーション等の車載機器の操作を行う。
【００１６】
図２に示すように、タッチ式入力装置１０は、ディスプレイ５と、タッチパッド１３と、制御装置１１とを備える。
制御装置１１は、後述する閾ライン等が記憶されるメモリ１１ａと、時間を計測するタイマ１１ｂとを備える。
【００１７】
タッチパッド１３には、検出手段としてタッチセンサ１４が内蔵されている。タッチセンサ１４は、タッチパッド１３に指が触れたことに伴う静電容量の変化を検出し、その検出結果を制御装置１１に出力する。制御装置１１は制御手段に相当する。
【００１８】
制御装置１１は、上記ディスプレイ５の画面を制御する。例えば、図３に示すように、制御装置１１は、ディスプレイ５に複数のアイコン５０ａ〜５０ｏを表示する。図３におけるディスプレイ５の左右方向をＸ方向とし、上下方向をＹ方向とする。本例では、各アイコン５０ａ〜５０ｏのＹ方向の長さは同一である。アイコン５０ａ〜５０ｅのＸ方向の長さＢ１は、アイコン５０ｆ〜５０ｏの長さＢ２より長い。すなわち、アイコン５０ａ〜５０ｅはＸ方向に長い長方形に形成され、アイコン５０ｆ〜５０ｏは正方形に形成される。
【００１９】
制御装置１１は、タッチセンサ１４の検出結果に基づき、Ｘ方向およびＹ方向のなぞり操作に応じてディスプレイ５上に位置する×印で示される操作座標Ｐ１をＸ方向およびＹ方向に移動させる。制御装置１１は、タッチパッド１３へのなぞり操作量（長さ）と、その移動に要した経過時間とを通じてなぞり操作速度Ｖを算出する。
【００２０】
また、制御装置１１は、以下の式を利用して、Ｘ方向におけるタッチパッド１３へのなぞり操作量に対する操作座標Ｐ１の移動量Ｌｘを決定する。
操作座標の移動量Ｌｘ＝なぞり操作量×アイコン係数Ｋ×速度係数α・・・・（１）
この式（１）の各項はＸ方向成分についての値となる。制御装置１１は、上記アイコン係数Ｋを第１のアイコン係数Ｋ１と第２のアイコン係数Ｋ２との間で切り替える。第１のアイコン係数Ｋ１は、アイコン５０ａ〜５０ｅのＸ方向の長さＢ１に応じて決まり、第２のアイコン係数Ｋ２はアイコン５０ｆ〜５０ｏのＸ方向の長さＢ２に応じて決まる。よって、第１のアイコン係数Ｋ１は、第２のアイコン係数Ｋ２より大きく設定される。このアイコン係数Ｋの切り替えタイミングについては後で詳述する。
【００２１】
制御装置１１は、なぞり操作の速度に応じて速度係数αを決定する。詳しくは、なぞり操作速度Ｖが大きくなるにつれて速度係数αを大きく設定する。
本例では、制御装置１１は、アイコン５０ａ〜５０ｏの長さが異なるＸ方向についてのみ、アイコン係数Ｋの変化を通じてなぞり操作量に対する操作座標の移動量Ｌｘを変更する。一方、制御装置１１は、Ｙ方向についても同様に操作座標の移動量Ｌを算出する。本実施例では、Ｙ方向におけるアイコン５０ａ〜５０ｏの長さが同一であるため、Ｙ方向についてはアイコン係数Ｋを一定とする。また、なぞり操作が斜め方向にされた場合、Ｘ方向及びＹ方向について別個に操作座標の移動量Ｌが算出される。
【００２２】
本例では、操作座標Ｐ１はディスプレイ５に表示されない。制御装置１１は、操作座標Ｐ１が位置するアイコン５０ａ〜５０ｏを選択した状態とする。
図４に示すように、制御装置１１は、ディスプレイ５上のアイコン５０ａ〜５０ｏ間に閾ラインＴｈ１〜Ｔｈ３を仮想的に設定する。図４では、一部のアイコン間の閾ラインのみ示したが、他のアイコン間にも閾ラインが設定されている。
【００２３】
図４に示すように、タッチパッド１３への一定速度のなぞり操作に応じてアイコン５０ｃからアイコン５０ｈまで操作座標Ｐ１がＸ方向に移動したとする。図４の各時刻ｔ０〜ｔ８間の時間は同一であるとする。
【００２４】
制御装置１１は、アイコン５０ｃを選択している状態では、時刻ｔ０〜時刻ｔ４まで上記式（１）に第１のアイコン係数Ｋ１を適用して、操作座標Ｐ１の移動量Ｌ１〜Ｌ４を算出し、その移動量Ｌ１〜Ｌ４だけ操作座標Ｐ１をＸ方向に移動させる。制御装置１１は、時刻ｔ４において操作座標Ｐ１が閾ラインＴｈ１を超えた旨判断したとき、選択アイコンをアイコン５０ｃからアイコン５０ｈに切り替えるとともに、上記式（１）におけるアイコン係数Ｋを第１のアイコン係数Ｋ１から第２のアイコン係数Ｋ２に変更する。
【００２５】
制御装置１１は、時刻ｔ４〜時刻ｔ８まで第２のアイコン係数Ｋ２を利用して操作座標Ｐ１の移動量Ｌ５〜Ｌ８を算出し、その移動量Ｌ５〜Ｌ８だけ操作座標Ｐ１をＸ方向に移動させる。ここで、「Ｋ１＞Ｋ２」であることから、以後、アイコン５０ｈが選択されている状態では、なぞり操作量に対する操作座標Ｐ１の移動量Ｌｘが減少する。すなわち、Ｘ方向のなぞり操作速度が一定の条件にあっては、各移動量Ｌ５〜Ｌ８は各移動量Ｌ１〜Ｌ４より少なくなる。よって、操作座標Ｐ１がアイコン５０ｈを通り過ぎることが抑制される。
【００２６】
これと同様に、Ｘ方向に長いアイコン５０ａ，５０ｂ，５０ｄ，５０ｅから、Ｘ方向に短いアイコン５０ｆ，５０ｇ，５０ｉ，５０ｊに選択アイコンが切り替わった場合、なぞり操作量に対する操作座標の移動量Ｌｘが減少する。また、逆に、Ｘ方向に短いアイコン５０ｆ〜５０ｊからＸ方向に長いアイコン５０ａ〜５０ｅに選択アイコンが切り替わった場合、アイコン係数Ｋが第２のアイコン係数Ｋ２から第１のアイコン係数Ｋ１に変更されるため、なぞり操作量に対する操作座標の移動量Ｌｘが増加する。このように、サイズが異なるアイコン間で選択アイコンを切り替える場合であっても、なぞり操作量が均等化される。
【００２７】
制御装置１１は、アイコン５０ａ〜５０ｏが選択された状態で、タッチセンサ１４の検出結果を通じて、タッチパッド１３に叩く操作がされた旨認識すると、そのアイコンが操作されたとして、そのアイコンに応じた機能を実行する。
【００２８】
つぎに、図５のフローチャートを参照しつつ、制御装置１１の処理手順について説明する。このフローチャートの開始時においては、アイコン５０ｃが選択された状態にあるとする。
【００２９】
制御装置１１は、操作座標Ｐ１が閾ラインＴｈ１を越えるのを待つ（Ｓ１０１でＮＯ）。制御装置１１は、操作座標Ｐ１が閾ラインＴｈ１を越えた旨判断したとき（Ｓ１０１でＹＥＳ）、選択アイコンをアイコン５０ｈに切り替える（Ｓ１０２）。そして、制御装置１１は、アイコン係数Ｋをアイコン５０ｃのＸ方向の長さＢ１に応じた第１のアイコン係数Ｋ１から、アイコン５０ｈのＸ方向の長さＢ２に応じた第２のアイコン係数Ｋ２に変更する（Ｓ１０３）。以上で、制御装置１１はフローチャートに係る処理を終了する。
【００３０】
上記では、操作座標Ｐ１がアイコン５０ｃからアイコン５０ｈに移動した場合について説明したが、その他、Ｘ方向に小さいアイコン５０ｆ〜５０ｊからＸ方向に大きいアイコン５０ａ〜５０ｅに選択アイコンが切り替えられた場合には、ステップＳ１０３において第２のアイコン係数Ｋ２から第１のアイコン係数Ｋ１に変更される。
【００３１】
なお、本例では、操作座標Ｐ１がＹ方向に移動して閾ラインＴｈ２，Ｔｈ３を超えた場合には、選択アイコンのみ変更されてアイコン係数Ｋは変更されない。
以上、説明した実施形態によれば、以下の効果を奏することができる。
【００３２】
（１）選択されるアイコン５０ａ〜５０ｏのＸ方向の長さＢ１，Ｂ２に応じて、タッチパッド１３へのなぞり操作量に対する操作座標Ｐ１の移動量Ｌｘが設定される。例えば、選択アイコンがＸ方向に大きいアイコン５０ａ〜５０ｅからＸ方向に小さいアイコン５０ｆ〜５０ｏに切り替わった場合には、Ｘ方向へのなぞり操作量に対する操作座標Ｐ１のＸ方向の移動量が小さく設定される。これにより、ユーザの意図に反して操作座標Ｐ１がそのアイコンを通過することが抑制される。
【００３３】
また、このように、選択アイコンのＸ方向の長さＢ１，Ｂ２に応じて、なぞり操作量に対する操作座標Ｐ１の移動量を設定することで、選択アイコンの切り替えに要するなぞり操作量が均等化される。よって、よりタッチ式入力装置１０の操作性を向上させることができる。
【００３４】
（２）一般的なユーザのなぞり操作態様として、操作座標Ｐ１がアイコンを通過する場合にはなぞり操作速度Ｖは速くなる。上記実施形態では、速度係数αを通じてなぞり操作速度Ｖが速い場合には、なぞり操作量に対する操作座標Ｐ１の移動量Ｌｘが大きくなるように設定されている。よって、操作座標Ｐ１がアイコンを通過する場合には、より迅速にそのアイコンを通過することができる。従って、より迅速に希望のアイコンを選択することができる。
【００３５】
なお、上記実施形態は、これを適宜変更した以下の形態にて実施することができる。
・上記実施形態において、同一のなぞり操作量で、選択アイコンの切り替えが可能となるように、アイコン係数Ｋを設定してもよい。これにより、アイコンのサイズに関わらず、同一のなぞり操作量で選択アイコンの切り替えが可能となるため、よりタッチ式入力装置１０の操作性を向上させることができる。
【００３６】
・上記実施形態の式（１）は一例であって、適宜変更可能である。例えば、式（１）における速度係数αを省略してもよい。また、以下の式（２）を採用してもよい。
操作座標の移動量Ｌｘ＝なぞり操作量×速度係数α＋アイコン係数Ｋ・・・・（２）
この式（２）を採用した場合であっても、上記実施形態と同様の作用及び効果が得られる。
【００３７】
・ディスプレイ５上に表示されるアイコン５０ａ〜５０ｏの形状、数等は適宜変更可能である。例えば、図６に示すように、Ｙ方向の長さＢ３，Ｂ４が異なるアイコン６１〜６３，６５であってもよい。
【００３８】
この場合には、Ｙ方向についてもアイコン係数Ｋが変更される。このアイコン係数Ｋは長さＢ３，Ｂ４に応じて決定される。本例では、制御装置１１は、Ｙ方向に長いアイコン６１〜６３から、Ｙ方向に短いアイコン６５に選択アイコンが切り替わったとき、なぞり操作量に対する操作座標の移動量Ｌｘを減少させ、逆にアイコン６５からアイコン６１〜６３に選択アイコンが切り替わったとき、なぞり操作量に対する操作座標の移動量Ｌｘを増加させる。本例でも、上記実施形態と同様の効果が得られる。
【００３９】
・上記実施形態においては、アイコン係数Ｋは２種類であったが、３種類以上あってもよい。アイコン間で異なるアイコン係数Ｋを利用してもよいし、アイコン切り替え後の時間経過に伴いアイコン係数Ｋを変化させてもよい。例えば、時間経過に伴いアイコン係数Ｋを大きくすることで、操作座標Ｐ１がそのアイコン外となるのが容易となる。
【００４０】
・上記実施形態においては、アイコン５０ａ〜５０ｏ間に隙間があったが、隣接していてもよい。
・上記実施形態においては、操作座標Ｐ１がディスプレイ５に表示されていなかったが、この操作座標Ｐ１を、例えば矢印マークとして表示してもよい。
【００４１】
・タッチパッド１３の位置は上記実施形態に限らず、例えば、ステアリング又はダッシュボード１に設けられていてもよい。
・上記実施形態におけるタッチ式入力装置１０を車両以外の電気機器に適用してもよい。
【００４２】
・上記実施形態においては、タッチセンサ１４として静電容量方式が採用されていたが、その他、抵抗膜方式、表面弾性波方式、赤外線方式又は電磁誘導方式を採用してもよい。
【００４３】
・上記実施形態においては、タッチパッド１３を叩く操作を通じて、アイコン５０ａ〜５０ｏが選択されていた。しかし、この叩く操作に代えて２回に亘ってタッチパッド１３を叩くダブルタップ操作、又はタッチパッド１３から手指を離したときアイコンが選択されるリリースエンタ操作としてもよい。
【符号の説明】
【００４４】
５…ディスプレイ、１０…タッチ式入力装置、１１…制御装置、１３…タッチパッド、１４…タッチセンサ、５０ａ〜５０ｏ…アイコン。
【図１】
2014071464.tif 000003
【図２】
2014071464.tif 000004
【図３】
2014071464.tif 000005
【図４】
2014071464.tif 000006
【図５】
2014071464.tif 000007
【図６】
2014071464.tif 000008
【図７】
2014071464.tif 000009